(57)【要約】【課題】連結釘を装填する場合に釘頭を押えるガイドバーの先端部が連結釘の後尾に引っ掛かるのを防止するとともにノーズ内の打込通路内での釘の詰まりを防止し、更に、部品点数の増加を抑えたマガジンユニットを提供する。【解決手段】マガジンユニットは、マガジンベース１８と、連結釘を収容保持する閉じ位置と連結釘を装填できる開放位置との間でマガジンベースに長手方向にスライド可能に取付けられるマガジンカバー２１と、マガジンカバーを長手方向に延びていて、マガジンカバーの長手方向には移動しないが対向するマガジンベースに向けて接離可能にマガジンカバーに取付けられ、マガジンベースに収容された連結釘の釘頭又は釘軸部の側面を押えるように付勢された細長いガイドバー３７とを備え、ガイドバーの先端部分４３は、他のガイドバー部分よりマガジンベース側に向けて突出して形成され、対向するマガジンベースには、ガイドバーの突出部を受入れる凹溝２６が形成されている。【選択図】　　　　　図６
2004122319.tif 000002
【特許請求の範囲】
【請求項１】
多数本の釘が並列に板状に連結された連結釘を収容するように細長く形成され、収容した前記連結釘の先頭釘をノーズの打込通路に送るようにノーズに連結されたマガジンベースと、該マガジンベースとの間に連結釘を収容する空間を形成するマガジンカバーであって、前記連結釘を収容保持する閉じ位置と連結釘を装填できる開放位置との間で前記マガジンベースに長手方向にスライド可能に取付けられたマガジンカバーと、該マガジンカバーを長手方向に延びていて、該マガジンカバーの長手方向には移動しないが対向する前記マガジンベースに向けて接離可能にマガジンカバーに取付けられ、マガジンベースに収容された連結釘の釘頭又は釘軸部の側面を押えるように付勢された細長いガイドバーとを備え、該ガイドバーの先端は、マガジンカバーが前記閉じ位置にあるとき連結釘の先頭釘の次の釘以降の釘頭又は釘軸部を押えるようにマガジンカバーより長手方向に延び出ており、該ガイドバーの先端部分は、他のガイドバー部分よりマガジンベース側に向けて突出して形成されており、対向するマガジンベースの面は全体がほぼ平坦に形成されているが、該マガジンベースには、前記打込通路に隣接する位置であってマガジンカバーが前記閉じ位置にあるときガイドバー先端部分の前記突出部に対向する位置に、ガイドバーの前記突出部を受入れる凹溝が形成されており、マガジンカバーが前記閉じ位置に移動するとき、前記ガイドバーの突出部がマガジンベースの平坦面と接触しつつスライドしてガイドバー先端はマガジンベースとの間に隙間を保って前進してマガジンベースにある連結釘の釘軸部を乗り越えることができることを特徴とする釘打機のマガジンユニット。
【請求項２】
請求項１に記載のマガジンユニットにおいて、ガイドバーの先端はマガジンベースにある連結釘を乗り越え易いように前記突出部のマガジンベースに向う面から打込通路側に向けて円弧状に形成されていることを特徴とするマガジンユニット。
【請求項３】
請求項２に記載のマガジンユニットにおいて、マガジンベース及びマガジンカバーで形成する連結釘を収容する前記空間は、軸部が第１長さの釘を収容できる幅を有し、前記ガイドバーは、前記第１長さより短い軸部の釘の釘頭を押える位置に設けられ、該短い軸部長さの釘の連結釘が収容されてマガジンカバーが前記閉じ位置にあるとき、ガイドバーは、その先端部分の前記突出部がマガジンベースの前記凹溝に受入れられ他のガイドバー部分が平坦なマガジンベース面に沿って接面して該短い軸部長さの釘の連結釘の釘頭を先頭釘の次の釘以降部分を押える姿勢に維持され、前記第１長さの釘の連結釘が収容されてマガジンカバーを前記閉じ位置にスライドする場合には、ガイドバーは、連結釘の後尾の釘軸部を乗り越えて釘軸部側面をスライドしマガジンカバーが閉じ位置に至った状態で釘軸部側面を押えることを特徴とするマガジンユニット。
【発明の詳細な説明】
【０００１】
【発明の属する技術分野】
本発明は、多数本の釘が並列に板状に連結された連結釘を打込む釘打機のマガジンユニットに関する。
【０００２】
【従来の技術】
多数本の釘が並列に板状に連結された連結釘を打込む釘打機のマガジンユニットは、実開平６−４２０７６号（実用新案登録第２５４９６３２号）公報（特許文献１）に開示されている。この公報に記載のマガジンユニットは、釘頭押えバーの先端部が連結釘に引っ掛かるのを防止するとともに、ノーズの打込通路に配置された先頭釘の次の位置にある２番目の釘の頭部が十分押えられずに、２番目の釘が先頭釘と同時にドライバによって打撃されて打込通路内で詰まる不具合を解消せんとしている。そのマガジンユニットは、マガジンカバーに釘頭押えバーを有し、マガジンベースに釘頭押えバーと係脱自在のカム部材を固定している。そのカム部材はマガジンベースの後方位置にあり、マガジンベースの最後方位置からマガジンカバーをスライドさせると、釘頭押えバーがカム部材に係合してマガジンベースに収容された連結釘からマガジンカバー側へ一定の距離を保って前進するので、連結釘の後尾の釘軸部を乗り越えることができ、後尾の釘に引っ掛かるのを防止できる。また、マガジンカバーが閉じた状態では釘頭押えバーはカム部材の係合から解除されて、先頭釘の次の位置にある２番目の釘の頭部を十分押えることができる。これらによって、釘頭押えバーの先端部が連結釘に引っ掛かるのを防止するとともに、次の位置にある２番目の釘が先頭釘と同時にドライバによって打撃されて打込通路内で詰まる不具合を解消する。
【０００３】
【特許文献１】
実開平６−４２０７６号公報
【０００４】
【発明が解決しようとする課題】
上記公報のマガジンユニットにおいて、マガジンベースには、マガジンカバーの釘頭押えバーに係脱自在のカム部材が固定されている。すなわち、釘頭押えバーに伴う不具合の解消のためにカム部材という部品を必要とする。そのため、釘打機の部品点数が多くなり、組立工数も増加し、ひいては、釘打機のコストの低減の妨げとなり、釘打機の小型化には望ましくない。
【０００５】
従って、本発明の目的は、連結釘を装填する場合に釘頭を押えるガイドバーの先端部が連結釘の後尾に引っ掛かるのを防止するとともにノーズ内の打込通路内での釘の詰まりを防止し、更に、部品点数の増加を抑えた釘打機のマガジンユニットを提供することにある。
【０００６】
【課題を解決するための手段】
かかる目的を達成するため、本発明の釘打機のマガジンユニットは、多数本の釘が並列に板状に連結された連結釘を収容するように細長く形成され、収容した連結釘の先頭釘をノーズの打込通路に送るようにノーズに連結されたマガジンベースと、該マガジンベースとの間に連結釘を収容する空間を形成し、連結釘を収容保持する閉じ位置と連結釘を装填できる開放位置との間でマガジンベースに長手方向にスライド可能に取付けられたマガジンカバーと、マガジンカバーを長手方向に延びていて、マガジンカバーの長手方向には移動しないが対向するマガジンベースに向けて接離可能にマガジンカバーに取付けられ、マガジンベースに収容された連結釘の釘頭又は釘軸部の側面を押えるように付勢された細長いガイドバーとを備え、ガイドバーの先端は、マガジンカバーが閉じ位置にあるとき連結釘の先頭釘の次の釘以降の釘頭又は釘軸部を押えるようにマガジンカバーより長手方向に延び出ており、ガイドバーの先端部分は、他のガイドバー部分よりマガジンベース側に向けて突出して形成されており、対向するマガジンベースの面は全体がほぼ平坦に形成されているが、マガジンベースには、打込通路に隣接する位置であってマガジンカバーが閉じ位置にあるときガイドバー先端部分の突出部に対向する位置に、ガイドバーの突出部を受入れる凹溝が形成されており、マガジンカバーが閉じ位置に移動するとき、ガイドバーの突出部がマガジンベースの平坦面と接触しつつスライドしてガイドバー先端はマガジンベースとの間に隙間を保って前進してマガジンベースにある連結釘の釘軸部を乗り越えることができることを特徴とする。
【０００７】
上記釘打機のマガジンユニットによれば、マガジンカバーが閉じ位置に移動するとき、ガイドバーの突出部がマガジンベースの平坦面と接触しつつスライドしてガイドバー先端はマガジンカバー側へ隙間を保って前進してマガジンベースにある連結釘の釘軸部を乗り越えることができるので、ガイドバーが連結釘の後尾の釘に引っ掛かるのを防止でき、マガジンカバーが閉じた状態ではガイドバーは突出部が凹溝に収容されて突出部以外のガイドバー部分は平坦なマガジンベース面に接面するので、先頭釘の次の位置にある２番目の釘の頭部及びそれより後方の釘頭を十分押えることができ、次の位置にある２番目の釘が先頭釘と同時にドライバによって打撃されて打込通路内で詰まる不具合も解消できる。そして、本発明のマガジンユニットにおいては、ガイドバー先端に突出部を形成し、対応するマガジンベース面に凹溝を形成するだけであり、カム部材等の部品を必要としないので、部品点数が増加することがなく、それによって、釘打機のコストの低減及び釘打機の小型化に寄与できる。更に、マガジンカバーが閉じた状態ではガイドバーは突出部が凹溝に収容されて嵌合するので、ガイドバーの先端部分がマガジンベースに固定され、２番目及びその近傍の釘の頭部の押え部分がマガジンベースに固定され、更に、その押え部分の縁部ではなく幅方向のほぼ中央部分で釘頭を押えることができるので、２番目及びその近傍の釘の頭部の押えを確実にする。
【０００８】
上記マガジンユニットにおいて、ガイドバーの先端はマガジンベースにある連結釘を乗り越え易いように突出部のマガジンベースに向う面から打込通路側に向けて円弧状に形成されている。また、マガジンベース及びマガジンカバーで形成する連結釘を収容する空間は、第１の軸部長さの釘を収容できる幅を有し、ガイドバーは第１の軸部長さより短い軸部長さの釘の釘頭を押える位置に設けられ、軸部長さの短い釘の連結釘が収容されてマガジンカバーが閉じ位置にあるとき、ガイドバーは、先端の突出部がマガジンベースの凹溝に受入れられ他のガイドバー部分が平坦なマガジンベース面に沿って接面して短い軸部長さの釘の連結釘の釘頭を先頭釘の次の釘以降部分を押える姿勢に維持され、第１軸部長さの釘の連結釘が収容されてマガジンカバーを閉じ位置にスライドする場合には、ガイドバーは、連結釘の後尾の釘軸部を乗り越えて釘軸部側面をスライドしマガジンカバーが閉じ位置に至った状態で釘軸部側面を押えるように形成できる。これによって、第１軸部長さの長い釘は、その釘頭がマガジンカバー又はマガジンベースの釘頭押え壁部によって保持され且つ釘側面がガイドバーによって側面を確実に保持され、また、軸部長さの短い釘は、その釘頭がガイドバーによって確実に保持されるので、長さの異なる釘についても、後尾の釘に引っ掛かることなく且つ打込通路内で詰まる不具合なしにマガジンに収容できる。
【０００９】
【発明の実施の形態】
以下、本発明の実施例について図面を参照しながら説明する。図１において、本発明の１実施例に係る釘打機１は、本発明の特徴を有するマガジンユニット２と、ほぼＬ字形のハウジング３と、釘を射出するノーズ５とを備えている。ハウジング３にはハンドル６が設けられ、作業者が釘打機１を保持できる。ハンドル６の一端には圧縮空気の供給口７が設けられ、内部に圧縮空気を収容する。ハウジング３には、ノーズ５にある釘を打撃する打撃シリンダ・ピストン機構９が設けられ、シリンダ１０内を急激に下動するピストン１１に連結されたドライバ１３によって、ノーズ５内の打込通路１４にある釘が板等の打込対象物に打込まれる。ピストン１１を下動するように動作させるのは、ハンドル６に設けられたトリガ機構１５である。一定の条件の下で、トリガレバー１７を引いて、ハンドル６の内部にある圧縮空気をピストン１１の背面（図１の上面）に供給し、ピストン１１をシリンダ１０内を急激に下動させ、ドライバ１３によってノーズ５内の打込通路１４にある釘を打撃してその釘を板等の打込対象物に打込むことができる。釘打機１に用いられる釘は、多数本の釘が並列に板状に連結されて、シート状に形成された連結釘である。一般に仕上釘と呼ばれる多数本の細い釘が接着剤等によって並列に板状に連結された連結釘が代表的なものである。連結釘は、ハンドル６とほぼ平行にノーズ５に固着された、本発明に係るマガジンユニット２に収容されて、マガジンユニット２からノーズ５の打込通路１４に先頭釘が入るように送られる。
【００１０】
マガジンユニット２には、上記のシート状の連結釘が収容され、収容された連結釘の先頭釘がノーズ５の打込通路１４に送られる。マガジンユニット２は、連結釘を収容してその連結釘の先頭釘をノーズ５の打込通路１４に送るようにノーズ５に連結されたマガジンベース１８と、マガジンベース１８との間に連結釘を収容する空間を形成し、連結釘を収容保持する閉じ位置と連結釘を装填できる開放位置との間でマガジンベースに長手方向（図１の矢印１９の方向）にスライド可能に取付けられたマガジンカバー２１とを包含する。図１において、マガジンカバー２１は、理解の容易のため、カバー部分の大部分が破断されて後端部分のみが残った状態で示されている。図１のマガジンカバー２１は閉じ位置にあり、マガジンベース１８との間に連結釘を収容する細長い空間を形成している。マガジンベース１８には、図示のように、シート状に連結された軸部が第１長さ（例えば３５ｍｍ）の釘の連結釘２２を収容できる。便宜上、第１長さの連結釘２２は、後尾側のみしか図示していないが、先頭釘がノーズ５の打込通路１４に入るまで長く延びている。また、本発明に係るマガジンユニット２には、別の長さの連結釘を収容することができる。図１において、連結釘２２とノーズ５の打込通路１４の中間に、第１長さの連結釘２２より短い、軸部が第２長さ（例えば２５ｍｍ）の釘の連結釘２３が示されている。第１長さの連結釘２２と第２長さの連結釘２３とは選択的に用いられ、いずれか一方がマガジンベース１８に装填される。従って、第２長さの短い連結釘２３も、第１長さの長い連結釘２２も、同じように、後尾側からノーズ５の打込通路１４まで長く形成されているものと理解されたい。マガジンベース１８には連結釘２２（又は連結釘２３）の打込側の先端を収容して案内するガイド溝２５が形成されて、連結釘の収容空間の一部を形成している。
【００１１】
マガジンベース１８のノーズ５側の端部は連結釘を打込通路１４に送るため、ノーズ５の打込通路部分に固着されている。その様子は、図１だけなく、図２にも示され、また、図１のマガジンユニット２のＡ−Ａ線断面図である図５にも示されている。図２に示すように、マガジンベース１８のノーズ５側の端部には、第２長さの連結釘２３の釘頭に対応する位置に、一定長さ後方に延びる凹溝２６が形成されている。図５において、凹溝２６が、マガジンベース１８の他の面よりやや深く形成されいる様子が示されている。マガジンベース１８の凹溝２６以外の面はほぼ平坦に形成されて、連結釘２２（又は２３）のスライドを容易にしている。なお、マガジンベース１８の上縁部には、マガジンカバー２１がスライドするためのガイド溝２７が形成され、マガジンベース１８の下縁部には、マガジンカバー２１がスライドするためのガイド溝が、連結釘のガイド溝２５と平行して形成されている。
【００１２】
マガジンカバー２１は、マガジンベース１８上を連結釘２２（又は２３）を収容保持する空間を形成する閉じ位置と連結釘を装填できる開放位置との間でマガジンベースに長手方向（図１の矢印１９の方向）にスライド可能に取付けられている。図３は、マガジンカバー２１のおもて面を単独で示している。図４は、マガジンカバー２１の裏面を単独で示しており、図３とは天地が反対に示されている。マガジンカバー２１は、閉じ位置において連結釘を収容保持する空間を形成するように、マガジンベース１８とほぼ同じ長さの細長い形状に形成される。また、閉じ位置と開放位置との間でマガジンベース１８に長手方向にスライド可能なように、マガジンカバー１８は、上縁部及び下縁部がマガジンベース１８のガイド溝２７及び他のガイド溝に収容されるガイドとして形成されている。マガジンカバー２１の後端には、ロック爪２９が設けられ、マガジンカバー２１が閉じ位置にあるとき、マガジンベース１８のロック穴の縁部に係合して閉じ位置にロックする。図５に最もよく示すように、ロック爪２９は、ピン３０を中心に旋回自在になっていて、ばね３１によってロック位置に付勢され、ばね３１に抗して後端を押すとロックを解除できる。
【００１３】
図４に図示のように、マガジンカバー２１には、マガジンベース１８に対面する面すなわち裏面に、連結釘の後尾の釘を押圧して連結釘の先頭釘をノーズ５の打込通路１４に付勢するプッシャ３３が設けられている。プッシャ３３は、連結釘を後尾から押圧して先頭釘をノーズ５の打込通路１４に付勢するように、マガジンカバー２１の後端から延びるコイルばね３４によってばね付勢されている。プッシャ３３は、ガイド溝３５に沿ってガイドカバー２１を長手方向にスライド可能に取付けられており、コイルばね３４によって、最前方位置（図４の位置は最前方位置に至る手前の位置にある）に至るように付勢されている。図１には、プッシャ３３が連結釘２２を押圧している様子が示されている。
【００１４】
マガジンカバー２１には、マガジンベース１８に対面する面すなわち裏面にガイドバー３７が設けられている。図１及び図４及び図５に図示のように、ガイドバー３７は、マガジンカバー２１を長手方向に延びている。ガイドバー３７は、マガジンカバー２１の長手方向には移動しないが、対面するマガジンベース１８に向けて接近したり離れたりできるように、マガジンカバー２１の細長い収容溝３８（図４）の中に保持されている。既述のように、マガジンベース１８及びマガジンカバー２１で形成する連結釘を収容する空間は、長い（第１長さの）連結釘２２を収容できる幅を有する。その幅方向におけるガイドバー３７の位置（ひいては収容溝３８の位置）は、短い（第２長さの）連結釘２３の釘頭を押える位置に設けられる。また、収容溝３８の中には、板ばね３９（図５）がガイドバー３７をマガジンベース１８の側に付勢するように配置され、ガイドバー３７がマガジンベース１８に収容された連結釘の釘頭又は釘軸部の側面を押えるようにばね付勢されている。ガイドバー３７がマガジンカバー２１から外れないように、収容溝３８の両端には、図５に示すように保持部４１、４２が形成されている。ガイドバー３７は、ノーズ５側に延びる先端部分４３は、マガジンカバー２１の端縁より長手方向に延び出ていて、マガジンカバー２１が閉じ位置にあるとき連結釘の先頭釘の次の釘及びそれより後方の釘頭又は釘軸部を押える長さになっている。従って、先端部分４３は、ノーズ５に形成された打込通路１４への入口穴４５（図５）に入り込み、マガジンカバー２１が閉じ位置にあるとき連結釘の先頭釘の次の釘の釘頭の位置まで延び出る。
【００１５】
ガイドバー３７の先端部分４３は、他のガイドバー部分よりマガジンベース側に向けて突出して形成されている。その詳細が、図５の円Ｂの部分の拡大図である図６に示されている。図６において、ガイドバー３７の先端部分４３は、段差４６に図示のように、マガジンベース１８に向けて突出している。突出部である先端部分４３以外の他のマガジンベースに対面する部分は、突出なく平坦な面として後端まで延びて形成されている。先端部分４３の突出高さすなわち段差４６の高さは、マガジンカバー２１を閉じ位置にスライドするとき、マガジンベース１８をスライドするガイドバー３７の先端部分４３の端部がマガジンベース１８の面から連結釘の後尾の釘軸部を乗り越える高さまで離れるように選定される。従って、マガジンカバー２１が閉じ位置に移動するとき、ガイドバー３７の突出先端部分４３がマガジンベース１８の平坦面と接触しつつスライドしガイドバー３７の先端部分の端縁４７はマガジンベース１８との間に隙間を保って前進してマガジンベース１８にある連結釘の釘軸部を容易に乗り越えることができる。先端部分４３は先端の端縁４７において、マガジンベース１８にある連結釘を乗り越え易いようにマガジンベースに向う面から打込通路１４側に向けて円弧状に形成されている。また、段差４６から端縁４７の手前までの先端部分４３は、同じ高さで突出していてもよいが、端縁４７に向けて突出高さが小さくなるようにテーパしていてもよい。
【００１６】
ガイドバー３７の先端部分４３に対応して、マガジンベース１８には凹溝２６（図２及び図６参照）が形成されている。詳細には、連結釘をスライド可能にするために全体がほぼ平坦に形成されているマガジンベース１８の面には、打込通路１４に隣接する位置であってマガジンカバー２１が閉じ位置にあるときガイドバー３７の突出した先端部分４３に対向する位置に、突出先端部分４３を受入れる凹溝２６が形成されている。凹溝２６の深さ及び長さは、マガジンカバー２１が閉じ位置にあるとき、ガイドバー３７の先端部分４３をすっぽりと受入れる大きさに選定される。マガジンカバー２１が閉じ位置にあるとガイドバー３７の先端部分４３が凹溝２６に嵌合し、ガイドバー３７の先端部分４３がマガジンベース１８に固定されるため、ガイドバー３７の先端部分４３の押え力が強化され、更に、その先端部分４３は縁部ではなく幅方向のほぼ中央部分で釘頭をおさえることができるため、一層、２番目及びその近傍の釘の頭部の押えを確実にする。凹溝２６の幅をガイドバー３７の先端部分４３の厚さに近い大きさに選定して、ガイドバー３７の先端部分４３のがたつきを防止するのが好ましい。なお、マガジンカバー２１が閉じ位置にあって、ガイドバー３７の先端部分４３がマガジンベース１８の凹溝２６に受入れられると、ガイドバー３７の他の部分は、平坦なマガジンベース１８の面に沿って接面して、ガイドバー３７全体として第２長さの連結釘２３の釘頭を、先頭釘から２番目の釘及びそれより後方の連結釘部分を押える姿勢に維持される。なお、本実施例においては、２種類の連結釘を装填できるマガジンユニットとして説明しているが、３種類以上の軸部長さの連結釘を装填できるマガジンユニットとすることもでき、その場合には、ガイドバー３７の数を増加することになる。
【００１７】
マガジンカバー２１の裏面には、ガイドバー３７に平行に且つノーズ５の先端方向（図１の下端方向）の側に補助押えバー４９が設けられている（図１及び図４参照）。補助押えバー４９は、第１長さの（長い）連結釘２２及び第２長さの（短い）連結釘２３の釘軸部を側面から支える機能を有し、マガジンベース１８とマガジンカバー２１との間の連結釘収容空間にある連結釘をマガジンベース側に押える。特に、補助押えバー４９は、短い（第２長さの）連結釘２３がガイドバー３７によって釘頭を押えて保持されている場合に、連結釘２３の側面を押える。補助押えバー４９は、マガジンカバー２１に、長手方向にもマガジンベース１８の側にも不動に固定されている。マガジンカバー２１がスライドするとき連結釘の後尾に引っ掛からないように、先端は円弧に形成され且つマガジンベース１８との間に一定の隙間をもってマガジンカバー２１に設けられている。補助押えバー４９は、ガイドバー３７と同様に、マガジンカバー２１の長手方向には移動しないが、対面するマガジンベース１８に向けて接近したり離れたりできるようにマガジンカバー２１に保持されていてもよい。補助押えバー４９のノーズ５の側の端部は、ガイドバー３７と同様にマガジンカバー２１より延び出ているのが好ましく、これによって、打込通路１４に送られる連結釘の先頭から２番目以降の釘軸部側面を押さえることができる。
【００１８】
図１、図７及び図８を参照して、連結釘２２又は２３を、マガジンベース１８に配置した後、マガジンカバー２１をスライドして、収容保持する動作を説明する。先ず、図１の連結釘２２に示すように、軸部の長い第１長さの連結釘２２をマガジンユニット２に装填する場合、マガジンカバー２１のロック爪２９を解除して、マガジンカバー２１を図１の右側にスライドし、マガジンベース１８の連結釘収容空間を開放する。細長いシート状に連結された連結釘２２を、その先端がマガジンベース１８のガイド溝２５に入るように配置する。その状態で、マガジンカバー２１をノーズ５の側にスライドすると、先ず、プッシャ３３が連結釘２２の後尾に当接して連結釘２２をノーズ５の側に押圧して連結釘２２をノーズ５側に移動させる。連結釘２２の先頭釘がノーズ５の打込通路１４に入ると連結釘２２の移動が停止するが、マガジンカバー２１のスライドは続いているので、プッシャ３３は、コイルばね３４の収縮によって連結釘２２の後尾をばね付勢しつつそこに留まる。そして、図７に示すように、ガイドバー３７の先端部分４３は連結釘２２の後尾の釘の軸部に対面するが、先端部分４３は他の部分より段差４６の分だけマガジンベース１８の側に突出しているので、端縁４７において隙間５０をもってマガジンベース１８の面から浮いており、端縁４７は釘軸部を乗り越えて進むことができる。端縁４７はまた円弧に形成されており、一層容易に釘軸部を乗り越えることができる。従って、ガイドバー３７は、連結釘２２の後尾の軸部を容易に乗り越えることができ、また、補助押えバー４９もそのまま連結釘には引っ掛からずに進むことができるので、マガジンカバー２１を閉じ位置までスライドすることができ、連結釘２２は、釘軸部側面がガイドバー３７及び補助押えバー４９によって保持され、釘頭は、マガジンカバー２１の上縁部の内壁又はマガジンベース１８の上縁部の内壁によって規制された状態で、マガジンベース１８に確実に装填される。
【００１９】
次に、図１の連結釘２３に示すように、軸部の短い第２長さの連結釘２３をマガジンユニット２に装填する場合を説明する。ロック爪２９を解除して、マガジンカバー２１を図１の右側の開放位置にスライドする。連結釘２３を、その先端がマガジンベース１８のガイド溝２５に入るように配置する。その状態で、マガジンカバー２１をノーズ５の側にスライドする。プッシャ３３が連結釘２３の後尾に当接して連結釘２２をノーズ５の側に押圧して連結釘２３をノーズ５側に移動させる。連結釘２２の先頭釘がノーズ５の打込通路１４に入ると連結釘２２の移動が停止し、プッシャ３３はマガジンカバー２１のスライドが続いているのでコイルばね３４を収縮して連結釘２２の後尾をばね付勢しつつそこに留まる。プッシャ３３はマガジンカバー２１のスライドが続いており、ガイドバー３７は、連結釘２３の釘頭の上側をマガジンベース１８の面から浮いた状態で移動し、補助押えバー４９は、マガジンベース１８から隙間をもって移動して、連結釘２３の後尾の釘軸部を乗り越えて釘軸部側面を移動する。そして、マガジンカバー２１が閉じ位置に至ると、ガイドバー３７は、突出した先端部分４３がマガジンベース１８の凹溝２６に受入れられて嵌合するとともに、ガイドバー３７の他の部分が平坦なマガジンベース１８の面に沿って接面する。これによって、ガイドバー３７は、マガジンベース１８の連結釘２３の釘頭を先頭釘の次の釘及びそれより後方側の釘頭を押える姿勢に維持される。この状態が図８に示されている。マガジンカバー２１が閉じた状態ではロック爪２９がロックされて、閉じ位置を保持する。更に、ガイドバー３７の突出先端部分４３が凹溝２６に収容されて嵌合するので、ガイドバー３７の先端部分がマガジンベース１８に固定され、２番目の釘の頭部の押え部分もマガジンベースに固定されて釘頭の押えを確実にし、その押え部分がガイドバーの縁部ではなく中間部分であるので、２番目の釘の頭部の押えを一層確実にする。従って、先頭釘の次の位置にある２番目の釘の頭部及びそれより後方の釘頭を十分押えることができ、２番目の釘の頭部が先頭釘と同時にドライバによって打撃されて打込通路内で詰まる不具合もない。
【００２０】
【発明の効果】
本発明によれば、マガジンカバーが閉じ位置に移動するとき、ガイドバーの突出部がマガジンベースの平坦面と接触しつつスライドしてガイドバー先端はマガジンベースとの間に隙間を保って前進してマガジンベースにある連結釘の釘軸部を乗り越えることができるので、ガイドバーが連結釘の後尾の釘に引っ掛かるのを防止でき、マガジンカバーが閉じた状態ではガイドバーは突出部が凹溝に収容されて突出部以外のガイドバー部分は平坦なマガジンベース面に接面するので、先頭釘の次の位置にある２番目の釘の頭部及びそれより後方の釘頭を十分押えることができ、次の位置にある２番目の釘が先頭釘と同時にドライバによって打撃されて打込通路内で詰まる不具合もない。本発明に係るマガジンユニットにおいては、ガイドバー先端に突出部を形成し、対応するマガジンベース面に凹溝を形成するだけであり、カム部材等の部品を必要としないので、部品点数が増加することがなく、それによって、釘打機のコストの低減及び釘打機の小型化に寄与できる。更に、マガジンカバーが閉じた状態ではガイドバーは突出部が凹溝に収容されて嵌合するので、ガイドバーの先端部分がマガジンベースに固定され、２番目及びその近傍の釘の頭部の押え部分がマガジンベースに固定されるとともにガイドバー先端部分の幅方向のほぼ中央部で釘頭を押えることができるため、２番目及びその近傍の釘の頭部の押えを確実にする。
【図面の簡単な説明】
【図１】本発明の１実施例に係る釘打機のハウジングを縦断面し、マガジンユニットのマガジンカバーのカバー部分のみを部分的に破断して示す、一部破断正面図である。
【図２】図１の釘打機のノーズ、及び、マガジンカバーを取外したマガジンユニットを示す正面図である。
【図３】マガジンカバーをおもて側から見た図である。
【図４】マガジンカバーを裏面側から見た図である。
【図５】図１のマガジンユニット及びノーズのＡ−Ａ線断面図である。
【図６】図５の円Ｂの部分の拡大図である。
【図７】第１釘軸部長さの（長い）連結釘をマガジンベースに配置してマガジンカバーをスライドして連結釘を収容する途中の様子を示す図である。
【図８】第２釘軸部長さの（短い）連結釘をマガジンベースに配置してマガジンカバーをスライドして連結釘を収容し終えた様子を示す図である。
【符号の説明】
１　釘打機
２　マガジンユニット
３　ハウジング
５　ノーズ
６　ハンドル
７　圧縮空気供給口
９　打撃シリンダ・ピストン機構
１０　シリンダ
１１　ピストン
１３　ドライバ
１４　打込通路
１５　トリガ機構
１７　トリガレバー
１８　マガジンベース
２１　マガジンカバー
２２　第１長さ（長軸）の連結釘
２３　第２長さ（短軸）の連結釘
２５　ガイド溝
２６　凹溝
２７　ガイド溝
２９　ロック爪
３０　ピン
３１　ばね
３３　プッシャ
３４　コイルばね
３５　ガイド溝
３７　ガイドバー
３８　収容溝
３９　板ばね
４１、４２　保持部
４３　ガイドバーの突出した先端部分（突出部）
４５　ノーズの入口穴
４６　段差
４７　先端部分の端縁
４９　補助押えバー
５０　隙間
【図１】
2004122319.tif 000003
【図２】
2004122319.tif 000004
【図３】
2004122319.tif 000005
【図４】
2004122319.tif 000006
【図５】
2004122319.tif 000007
【図６】
2004122319.tif 000008
【図７】
2004122319.tif 000009
【図８】
2004122319.tif 000010